(57)【要約】【課題】  紙媒体と同様な形態で情報を表示して開示し、また、表示情報を効率良く更新することができる情報表示装置及び情報表示システムを実現する。【解決手段】  複数枚の電子ペーパシート１０５を綴じて製本化し、電子ペーパシートの表示情報を記録している不揮発記録メディア２０５の記録情報３０１に対し、情報書き換え用プログラムをもつ書き換え制御チップ２０４により最新受信情報３０２から書き換え対象情報３０３ａ〜３０３ｃを自動的に抽出して書き換える。【選択図】  図４
2010015396.tif 000002
【特許請求の範囲】
【請求項１】
電子ペーパシートを複数枚綴じた表示装置と、通信網を介して情報発信元から配信される情報に基づいて前記表示装置による表示情報の書き換えを行う書き換え制御機構とを備えた情報表示装置において、
前記書き換え制御機構は、前記電子ペーパシートにより表示する情報を記録する不揮発記録メディアと、前記不揮発記録メディアの記録情報を書き換える書き換え制御チップを備え、
前記書き換え制御チップは、取得した最新受信情報と不揮発記録メディア記録情報を比較して書き換え対象情報を抽出する機能と、前記書き換え対象情報により前記不揮発記録メディア記録情報を書き換える機能を備えることを特徴とする情報表示装置。
【請求項２】
請求項１において、前記書き換え制御機構は、給電されると自動的に最新受信情報の取得と書き換え対象情報の抽出と前記書き換え対象情報による不揮発記録メディア記録情報の書き換えを行うように構成したことを特徴とする情報表示装置。
【請求項３】
情報発信元から通信網を介して配信される表示情報を受信する情報受信・書き換え端末と、電子ペーパシートを複数枚綴じた表示装置と、前記情報受信・書き換え端末から最新受信情報を取得して前記表示装置による表示情報の書き換えを行う書き換え制御機構とを備えた情報表示装置とを備えた情報表示システムにおいて、
前記書き換え制御機構は、前記電子ペーパシートにより表示する情報を記録する不揮発記録メディアと、前記不揮発記録メディアの記録情報を書き換える書き換え制御チップを備え、
前記書き換え制御チップは、前記情報受信・書き換え端末から取得した最新受信情報と不揮発記録メディア記録情報を比較して書き換え対象情報を抽出する機能と、前記書き換え対象情報により前記不揮発記録メディア記録情報を書き換える機能を備えることを特徴とする情報表示システム。
【請求項４】
請求項３において、前記書き換え制御機構は、給電されると自動的に最新受信情報の取得と書き換え対象情報の抽出と前記書き換え対象情報による不揮発記録メディア記録情報の書き換えを行うように構成したことを特徴とする情報表示システム。
【請求項５】
請求項４において、前記書き換え制御機構は、前記情報受信・書き換え端末への接続により該情報受信・書き換え端末から給電を受けるように構成したことを特徴とする情報表示システム。
【発明の詳細な説明】
【技術分野】
【０００１】
本発明は、情報表示装置及び情報表示システムに係り、特に書き換え自在な電子ペーパを製本化した情報表示装置に情報発信元から配信される情報（地域自治体等で活用されているタウン情報誌や地図情報等）を書き込んで表示する技術に関する。
【背景技術】
【０００２】
書き換え時以外の閲覧や待機時には消費電力ゼロで利用可能なカラーで折り曲げ可能な電子ペーパが開発されている。この電子ペーパの利用分野として、例えばメモリ等に大量の電子書籍情報を蓄え、１枚の電子ペーパに対して、ページ送り操作等で次々に表示内容を書き換えるモバイル端末等が開発されているが、従来のモバイル端末は、書き換え時に電力を消費することから、頻繁に書き換えを行うと消費電力量が多くなることから、電源の充電やバッテリ交換が必要であり、紙で構成される一般的な書籍と同様な形態や使い勝手を実現する技術が提案されている。
【特許文献１】特開２００２―３００３３３号公報
【特許文献２】特開２００４―２３７５７７号公報
【特許文献３】特開２００５―１４１７１５号公報
【特許文献４】特開２００７―２０６８４５号公報
【発明の開示】
【発明が解決しようとする課題】
【０００３】
地域自治体等で発行しているタウン情報誌等の地域刊行誌は、各家庭に配布され、印刷から各家庭までの配布に経費もかかり、また、最終的には紙資源ゴミとして廃棄されてしまうことから、廃棄処分にも経費がかかっている。
【０００４】
電子化してインターネット等で情報を公開している地域自治体等もあるが、住民の高齢化が進む地方の地域自治体では、複雑な操作が必要なＰＣ等を使用することが必要な電子情報を各家庭で読むことは困難な傾向にあり、地方でも紙媒体のように使い勝手の良い、電子情報を配信することができる情報システムが必要である。
【０００５】
また、地方の自治体は、災害等でライフラインが寸断され易い地域が多い傾向にあり、道路工事等による通行止めや一時的なダイヤ改正なども発生し易く、その状況に関する情報をリアルタイムで知らせるための手段として、防災無線（有線）放送設備等を各家庭に設置しているが、音声放送情報は聞き逃してしまうこともあることから、紙媒体のように使い勝手の良い情報配信が可能な情報システムが必要である。
【０００６】
また、出張や旅行の際の情報入手方法として最も普及している手法は、携帯端末を使用し、インターネット等の通信手段から検索閲覧する方法であるが、この方法では、地域に住む住民向けタウン情報のように詳しい情報を得ることは困難であり、また、現地の最新情報が必ず手に入るわけでもなく、現地の市町村営バス等のローカルダイヤ改正や工事等による一時移転停留所情報など地域の最新交通手段情報等の入手は困難である。
【０００７】
本発明の目的は、前述したような各種の情報伝達の実現を支援することができるように、紙媒体と同様な形態で情報を表示して開示し、また、表示情報を効率良く更新することができる情報表示装置及び情報表示システムを提案することにある。
具体的には、複数枚の電子ペーパシートを表示媒体として表装具に装着して書き換え可能なファイル形態で情報表示を行なうと共に表示情報を自動的に低電力消費で更新することができるようにすることにある。
【課題を解決するための手段】
【０００８】
本発明の情報表示装置は、電子ペーパシートを複数枚綴じた表示装置と、通信網を介して情報発信元から配信された情報に基づいて前記表示装置の書き換えを行う書き換え制御機構とを備えた情報表示装置において、
前記書き換え制御機構は、前記電子ペーパシートにより表示する情報を記録する不揮発記録メディアと、前記不揮発記録メディアによる表示情報の記録情報を書き換える書き換え制御チップを備え、
前記書き換え制御チップは、取得した最新受信情報と不揮発記録メディア記録情報を比較して書き換え対象情報を抽出する機能と、前記書き換え対象情報により前記不揮発記録メディア記録情報を書き換える機能を備えることを特徴とする。
また、本発明の情報表示システムは、情報発信元から通信網を介して配信される表示情報を受信する情報受信・書き換え端末と、電子ペーパシートを複数枚綴じた表示装置と、前記情報受信・書き換え端末から最新受信情報を取得して前記表示装置による表示情報の書き換えを行う書き換え制御機構とを備えた情報表示装置とを備えた情報表示システムにおいて、
前記書き換え制御機構は、前記電子ペーパシートにより表示する情報を記録する不揮発記録メディアと、前記不揮発記録メディアの記録情報を書き換える書き換え制御チップを備え、
前記書き換え制御チップは、前記情報受信・書き換え端末から取得した最新受信情報と不揮発記録メディア記録情報を比較して書き換え対象情報を抽出する機能と、前記書き換え対象情報により前記不揮発記録メディア記録情報を書き換える機能を備えることを特徴とする。
【発明の効果】
【０００９】
本発明の情報表示装置及び情報表示システムは、情報を紙媒体と同様な形態で表示して開示することができ、また、表示情報を効率良く更新することができる。
【００１０】
具体的には、複数枚の電子ペーパシートを表示媒体として表装具に装着して書き換え可能なファイル形態で情報表示を行なうことができると共に表示情報を自動的に低電力消費で更新することができる。
【００１１】
従って、本発明を各地域自治体が各家庭に配布する冊子配布事業に適用することにより、その経費を削減することができると共に、印刷費用も削減でき、更には紙資源ゴミの削減が期待できる。
【００１２】
また、過疎化の進む地域自治体では市販ガイドブック等で紹介していない赤字で運営している地域住民のための市町村営バス等のダイヤ情報の配信に適用することにより、乗車率等の利用促進が見込め、工事などで一時移転した停留所情報及一時改正した路線図及びダイヤを紙媒体のように使い勝手の良い方法で提供することができ、利用促進が期待できる。
【００１３】
また、災害発生時に、避難場所など最寄りの公共施設に設置する端末により、現地自治体やボランティア団体からの情報を伝達することに適用することにより、被災情報やライフライン等の復旧情報を紙媒体のように使い勝手の良い方法で提供することができるため、被災者が被災地から脱出するルートや復旧の目処を付けることができ、被災者のストレス障害緩和が期待できる。
【００１４】
また、出張や旅行の際に、携帯端末のバッテリ切れや電池切れを気にせず、また過疎地等でインターネット接続が困難な場所でも、各地域自治体が設置する最寄りの公共施設から地域の情報を得るように利用することができる。
【００１５】
また、出張や旅行の際に、インターネットやガイドブックには掲載されていないような市町村営バス等のローカルダイヤや停留所情報や宿泊施設等の最新情報を得るように利用することができる。
【発明を実施するための最良の形態】
【００１６】
本発明の情報表示システムは、
情報発信元から通信網を介して配信される表示情報を受信する情報受信・書き換え端末と、
電子ペーパシートを複数枚綴じた表示装置と、前記情報受信・書き換え端末から最新受信情報を取得して前記情報示装置による表示情報の書き換えを行う書き換え制御機構とを備えた情報表示装置とを備え、
前記書き換え制御機構は、前記電子ペーパシートにより表示する情報を記録する不揮発記録メディアと、前記不揮発記録メディアの記録情報を書き換える書き換え制御チップを備え、
前記書き換え制御チップは、前記情報受信・書き換え端末から取得した最新受信情報と不揮発記録メディア記録情報を比較して書き換え対象情報を抽出する機能と、前記書き換え対象情報により前記不揮発記録メディア記録情報を書き換える機能を備える攻勢とする。
そして、前記書き換え制御機構は、給電されると自動的に最新受信情報の取得と書き換え対象情報の抽出と前記書き換え対象情報による不揮発記録メディア記録情報の書き換えを行うように構成し、
また、前記書き換え制御機構は、前記情報受信・書き換え端末への接続により該情報受信・書き換え端末から給電を受けるように構成する。
【実施例】
【００１７】
以下、図面を参照して本発明の実施例を詳細に説明する。
なお、実施例を説明するための全図において、同一機能を有するものは同一符号を付け、重複する説明は省略する。
図１は、本発明の電子ペーパを製本化した情報表示装置の概略構成を示す模式図である。
【００１８】
図１において、１００は電子ペーパを製本化した情報表示装置であり、１０１は主に奇数ページの情報を表示する電子ペーパ表面シート、１０２は主に偶数ページの情報を表示する電子ペーパ裏面シート、１０３は複数の電子ペーパシートを製本化する際に接着する綴じ代、１０４は各電子ペーパシートの表示情報書き換えを行うために各電子ペーパシートの電子ペーパ選択信号線，書き変え用電源線，表示情報書き換え信号線などに接続する配線導体をフイルムにプリントして上方に折り返した薄い形状の電子ペーパ書き換え用フイルム化配線、１０５は電子ペーパ表面シート１０１と電子ペーパ裏面シート１０２を張り合わせた両面表示可能な電子ペーパシート、１０６は複数枚の電子ペーパシート１０５を重ねた状態で固定及び保護する適度に対衝撃性対加圧性をもつ表装具、１０７は電子ペーパシートを書き換えるために表装具１０６に設けた書き換え制御機構、１０８は表装具１０６に設けた書き換え端子、１０９は書き換え端子保護用ソケットである。
【００１９】
１枚の電子ペーパシート１０５は、電子ペーパ表面シート１０１の裏面と電子ペーパ裏面シート１０２の裏面を合わせて張り合わせることにより作成し、綴じ代１０３で接着して表装具１０６に装着して製本化することによりファイル形態にする。各電子ペーパシート１０５は、表装具１０６に重ねた状態で綴じ込むことにより電子ペーパ書き換え用フイルム化配線１０４の配線導体を該表装具１０６の綴じ代部に設けた接続端子（図示省略）に接触させて該表装具１０６に内蔵する書き換え制御機構１０７への電気的接続を実現し、書き換え端子保護用ソケット１０９を取り外して書き換え端子１０８により電源供給及び表示情報のデータ送受信を行って表示情報の書き換えを行う構成ある。
【００２０】
図２は、図１に示した情報表示装置１００の表示情報書き換え方法を示す情報表示システムの模式図、図３は、電子ペーパ書き換え用フイルム化配線１０４と書き換え制御機構１０７の電気的接続関係及び書き換え制御機構１０７に記録された記録メディア記録情報を示すブロック図である。
【００２１】
図２及び図３において、２００は情報表示装置１００の書き換え端子１０８に接続する書き換えコネクタ、２０１は書き換えコネクタ２００に繋がる接続ケーブル、２０２は通信網より配信情報を受け取り情報表示装置１００に電力供給とデータ転送を行う情報受信・書き換え端末、２０３は情報配信に使用する一般的な通信網であるインターネット等広域情報通信網である。
【００２２】
２０４は、書き換え制御機構１０７に内蔵されて電子ペーパシートの書き換え制御処理を行う書き換え制御処理プログラムを備えたマイクロプロセッサである書き換え制御チップ、２０５は書き換え制御機構１０７に内蔵された情報表示装置内蔵フラッシュメモリ等不揮発記録メディア、２０６は、不揮発記録メディア２０５に記録された不揮発記録メディア記録情報である。
【００２３】
情報表示装置１００は、書き換え端子保護用ソケット１０９を取り外して書き換え端子１０８に書き換えコネクタ２００を接続することにより、接続ケーブル２０１を介して情報受信・書き換え端末２０２と電源授受及び通信可能状態にする。
【００２４】
そして、書き換え制御チップ２０４は、情報受信・書き換え端末２０２が電源供給を受けると共に該情報受信・書き換え端末２０２を介しインターネット等広域情報伝達網２０３より配信情報を得て不揮発記録メディア２０５に記録している不揮発記録メディア記録情報２０６と比較し、各電子ペーパシート１０５からの電子ペーパ書換え用フイルム化配線１０４を介して電子ペーパシート１０５の書き換えを行う構成である。
【００２５】
図４は、本実施例における情報書き換え例を示す模式図である。
【００２６】
図４において、３０１は情報表示装置１００の書き換え制御機構１０７に内蔵された不揮発記録メディア２０５内に記録されている現在の不揮発記録メディア記録情報、３０２は情報受信・書き換え端末２０２が最新の配信情報として受信した最新受信情報、３０３ａ〜３０３ｃは不揮発記録メディア記録情報３０１と最新受信情報３０２に不一致箇所があることから書き換えを行う書き換え対象情報の例である。
【００２７】
情報表示装置１００の書き換え制御機構１０７における書き換え制御チップ２０４は、随時、不揮発記録メディア２０５に記録されている現在の不揮発記録メディア記録情報３０１と、情報受信・書き換え端末２０２から取得した最新受信情報３０２を比較し、不揮発記録メディア記録情報３０１と最新受信情報３０２の不一致箇所であって書き換えを行うことが必要な書き換え対象情報３０３ａ〜３０３ｃを導き出し、書き換え対象情報３０３ａ〜３０３ｃを含むページのみの書き換えを行う情報書き換え制御処理機能を備える。
【００２８】
図５は、書き換え制御機構１０７の書き換え制御チップ２０４が行う情報書き換え制御処理のフローチャートである。
【００２９】
ステップＳ４００
書き換え端子１０８に書き換えコネクタ２００が接続されて給電が開始されると処理実行状態になり、随時、情報受信・書き換え端末２０２から最新受信情報３０２を取得する「最新受信情報」受信処理である。
【００３０】
ステップＳ４０１
不揮発記録メディア記録情報３０１と最新受信情報３０２に対して、表紙情報「情報名称」の一致／不一致を判断する「情報名称」一致確認処理である。
【００３１】
ステップＳ４０２
不揮発記録メディア記録情報３０１と最新受信情報３０２の「情報名称」が不一致であるときに更新ページ情報＝全ページとする「更新ページ情報＝全ページ」処理である。
【００３２】
ステップＳ４０３
不揮発記録メディア記録情報３０１と最新受信情報３０２の表紙情報「情報更新日時」の一致／不一致を判断する「情報更新日時」一致確認処理である。
【００３３】
ステップＳ４０４
不揮発記録メディア記録情報３０１と最新受信情報３０２が完全一致であるときに更新ページ情報＝無とする「更新ページ情報＝無」処理である。
【００３４】
ステップＳ４０５
不揮発記録メディア記録情報３０１と最新受信情報３０２のページｎ「情報名称」が一致か否かを判断するページｎ「情報名称」一致確認処理である。
【００３５】
ステップＳ４０６
不揮発記録メディア記録情報３０１と最新受信情報３０２のページｎ「情報更新日時」の一致／不一致を判断するページｎ「情報更新日時」一致確認処理である。
【００３６】
ステップＳ４０７
不揮発記録メディア記録情報３０１と最新受信情報３０２のページｎに更新があるときに更新ページ情報にページｎを追加する追加処理である。
【００３７】
ステップＳ４０８
全ページ検索のためのページNo.インクリメント（＋１）処理である。
【００３８】
ステップＳ４０９
最終ページまで情報更新を確認するために最終ページNo.まで検索する検索完了判定処理である。
【００３９】
ステップＳ４１０
更新ページ情報に更新ページNo.の有無を判断する更新ページNo.有判定処理である。
【００４０】
ステップＳ４１１
更新ページの圧縮・伸張・書き換えを行う圧縮・伸張・書き換え処理である。
【００４１】
ステップＳ４１２
不揮発記録メディア情報２０６の更新ページNo.情報を最新の「情報名称」・「情報更新日時」に更新する不発記録メディアページ情報更新処理である。
【００４２】
ステップＳ４１３
更新ページNo.有判定処理ステップＳ４１０のために、次の更新ページNo.の更新ページ情報位置に移動する更新ページNo.インクリメント（＋１）処理である。
【００４３】
書き換え制御機構１０７の書き換え制御チップ２０４が実行する一連の情報書き換え制御処理は、次のようになる。
【００４４】
通電が開始されると、「最新受信情報」受信処理ステップＳ４００で情報受信・書き換え端末２０２から最新受信情報３０２を取得し、「情報名称」一致確認処理ステップ４０１において不揮発記録メディア記録情報３０１と最新受信情報３０２における表紙情報「情報名称」の一致／不一致を確認し、一致していない場合は、「更新ページ情報＝全ページ」処理ステップＳ４０２で更新ページ情報を全ページとし、一致している場合は、「情報更新日時」一致確認処理ステップＳ４０３において表紙情報「情報更新日時」の一致／不一致を確認し、一致している場合は、「更新ページ情報＝無」処理ステップＳ４０４で更新ページ情報を無とし、一致していない場合は、以下、ページｎ「情報名称」一致確認処理ステップＳ４０５を行う。
【００４５】
ページｎ「情報名称」一致確認処理ステップＳ４０５ではページｎ「情報名称」の一致／不一致を確認し、ページｎ「情報更新日時」一致確認処理ステップＳ４０６でページｎ「情報更新日時」の一致／不一致を確認し、何れも一致しない場合は、追加処理ステップＳ４０７で更新ページ情報にページｎを追加し、ページNo.インクリメント（＋１）処理ステップＳ４０８でページNo.を次ページ（＋１）とする。
【００４６】
ページｎ「情報名称」とページｎ「情報更新日時」が何れも一致する場合は、ページNo.インクリメント（＋１）処理ステップＳ４０８にてページNo.を次ページ（＋１）とする。
【００４７】
検索完了判定処理ステップＳ４０９において最終ページNo.まで更新検索完了判定を繰り返し、更新ページを洗い出した後、更新ページNo.有判定処理ステップＳ４１０で更新ページ情報に更新ページNo.の有無を判定し、無ければ処理終了ステップＳ４１４で処理を終了する。
【００４８】
更新ページNo.が有るときには、以下、圧縮・伸張・書き換え処理ステップＳ４１１で用紙サイズや解像度に応じて表示情報の圧縮又は伸張処理を施し、更新ページを書き換え、不揮発記録メディアページ情報更新処理ステップＳ４１２で不揮発記録メディアページ情報の「情報名称」・「情報更新日時」を更新し、更新ページ情報インクリメント（＋１）処理ステップＳ４１３で更新ページ情報更新を行い、更新ページ情報に更新ページNo.が無くなるまで繰り返してから処理を終了する。
【００４９】
図６〜図８は、運用事例（情報開示システム構成事例）を示すブロック図である。
５０１は各地方自治体等が運営管理する地域情報発信基地局、５０２は広告収入等で運営されるフリーペーパ作成等の業務を行うタウン情報誌等作成会社等、５０３は各地方の有志等によって運営される地域ボランティア活動団体等であり、これらは情報発信元である。５０４は各地方自治体等が運営管理する地域専用情報通信網、５０５は各地方自治体等が運営管理する地域防災無線（有線）情報通信網である。
【００５０】
図６に示す運用事例は、地域情報発信基地局５０１やタウン情報誌等作成会社５０２や地域ボランティア活動団体５０３から配信されるタウン情報等をインターネット等広域情報通信網２０３を介して情報受信・書き換え端末２０２で選択的に受信し、情報表示装置１００を書き換えるケースであり、出張や旅行先の情報を書き込む際の使用に便利な構成である。
【００５１】
図７に示す運用事例は、タウン情報誌等作成会社５０２や地域ボランティア活動団体５０３からの情報を統合して地域情報発信基地局５０１から地域専用情報通信網５０４０を介して各地域自治体等の地域情報を各家庭や地域自治体の最寄りの公共施設に設置した情報受信・書き換え端末２０２に配信し、情報表示装置１００を書き換えるケースであり、その地域密着型の情報を更新書き換える際の使用に便利な構成である。
【００５２】
図８に示す運用事例は、地域情報発信基地局５０１により地域ボランティア活動団体５０３からの情報も統合して地域防災無線（有線）情報通信網５０５から災害情報やライフライン旧情報や復旧状況等を各家庭や地域自治体の最寄りの公共施設に設置した情報受信・書き換え端末２０２に配信し、情報表示装置１００を書き換えるケースであり、災害発生時の情報配信に好適な構成である。
【００５３】
その他、図示説明は省略するが、美術館や博覧会等の施設内外での情報公開に使用する構成とすることもできる。
【図面の簡単な説明】
【００５４】
【図１】本発明の電子ペーパを製本化した情報表示装置の概略構成を示す模式図である。
【図２】図１に示した情報表示装置が行なう情報書き換え方法を示す模式図である。
【図３】電子ペーパ書き換え用フイルム化配線１０４と書き換え制御機構１０７の電気的接続関係及び書き換え制御機構１０７に記録された記録メディア記録情報を示すブロック図である。
【図４】実施例１における情報書き換え例を示す模式図である。
【図５】実施例１において書き換え制御機構が行なう情報書き換え制御処理のフローチャートである。
【図６】実施例１に示した情報表示装置の運用事例を示すブロック図である。
【図７】実施例１に示した情報表示装置の運用事例を示すブロック図である。
【図８】実施例１に示した情報表示装置の運用事例を示すブロック図である。
【符号の説明】
【００５５】
１００…情報表示装置
１０１…電子ペーパ表面シート
１０２…電子ペーパ裏面シート
１０３…綴じ代
１０４…電子ペーパ書き換え用フイルム化配線
１０５…電子ペーパシート
１０６…表装具
１０７…書き換え制御機構
１０８…書き換え端子
１０９…書き換え端子保護用ソケット
２００…書き換え用コネクタ
２０１…接続ケーブル
２０２…情報受信・書き換え端末
２０３…広域情報通信網
２０４…書き換え制御チップ
２０５…不揮発記録メディア
２０６…不揮発記録メディア記録情報
３０１…現在の不揮発記録メディア記録情報
３０２…最新受信情報
３０３ａ〜３０３ｃ…書き換え対象情報
４００…最新受信情報取得処理ステップ
４０１…「情報名称」一致確認処理ステップ
４０２…「更新ページ情報＝全ページ」処理ステップ
４０３…「情報更新日時」一致確認処理ステップ
４０４…「更新ページ情報＝無」処理ステップ
４０５…ページｎ「情報名称」一致確認処理ステップ
４０６…ページｎ「情報更新日時」一致確認処理ステップ
４０７…追加処理ステップ
４０８…ページNo.インクリメント（＋１）処理ステップ
４０９…検索完了判定処理ステップ
４１０…更新ページNo.有判定処理ステップ
４１１…圧縮・伸張・書き換え処理ステップ
４１２…不揮発記録メディアページ情報更新処理ステップ
４１３…更新ページ情報インクリメント（＋１）処理ステップ
５０１…地域情報発信基地局
５０２…タウン情報誌等作成会社等
５０３…地域ボランティア活動団体等
５０４…地域専用情報通信網
５０５…地域防災無線（有線）情報通信網
【図１】
2010015396.tif 000003
【図２】
2010015396.tif 000004
【図３】
2010015396.tif 000005
【図４】
2010015396.tif 000006
【図５】
2010015396.tif 000007
【図６】
2010015396.tif 000008
【図７】
2010015396.tif 000009
【図８】
2010015396.tif 000010